(57)【要約】【課題】  ＯＦＤＭ信号の最大振幅値と平均振幅値の差が大きいとＯＦＤＭ受信機のオペアンプのダイナミックレンジを大きくとる必要があり、オペアンプの消費電力が大きくなる。【解決手段】  データの並び替え方式を複数持つインタリーブ回路２０４を用い、複数の並び替え処理後のデータのうちから同一のビット列の数が少ないデータをインタリーブ出力選択回路２０５で選択してマッピング回路２０６へ入力することで、逆フーリエ変換回路２０７で生成されるＯＦＤＭ信号の最大振幅値と平均振幅値の差を小さくすることが可能になる。その結果、受信機のオペアンプのダイナミックレンジを小さくとることが可能となり、オペアンプの消費電力を減らすことができる。したがって受信機全体の消費電力を軽減する効果がある。【選択図】  図２
2005210605.tif 000002
【特許請求の範囲】
【請求項１】
送信データに対してスクランブル処理を行い出力するスクランブル回路と、前記スクランブル回路の出力データに対して畳み込み処理を行い出力する畳み込み回路と、前記畳み込み回路の出力データに対して複数の並び替え方式のうちから１つの並び替え方式を用いて並び替え処理を行い出力するインタリーブ回路と、前記インタリーブ回路の出力データに対して周波数領域へのマッピング処理を行い出力するマッピング回路と、前記マッピング回路の出力データを逆フーリエ変換処理してＯＦＤＭ信号を生成する逆フーリエ変換回路と、前記インタリーブ回路で用いる並び替え方式を切り替える並び替え方式切り替え回路と、前記並び替え方式切り替え回路による切り替えタイミングを生成する送信コントロール回路とを備えたＯＦＤＭ回路。
【請求項２】
送信データに対してスクランブル処理を行い出力するスクランブル回路と、前記スクランブル回路の出力データに対して畳み込み処理を行い出力する畳み込み回路と、前記畳み込み回路の出力データに対して複数の並び替え方式でデータの並び替え処理を行い各々の並び替え処理によるデータを出力するインタリーブ回路と、前記インタリーブ回路から出力される複数の並び替え処理後のデータのうちから同一ビットパターンの少ないデータを選択し出力するインタリーブ出力選択回路と、前記インタリーブ出力選択回路の出力データに対して周波数領域へのマッピング処理を行うことにより周波数領域データとして出力するマッピング回路と、前記マッピング回路から出力される周波数領域データと前記インタリーブ出力選択回路で選択したデータの並び替え方式の識別情報とを入力として逆フーリエ変換処理してＯＦＤＭ信号を生成する逆フーリエ変換回路とを備えたＯＦＤＭ回路。
【請求項３】
送信データに対してスクランブル処理を行い出力するスクランブル回路と、前記スクランブル回路の出力データに対して畳み込み処理を行い出力する畳み込み回路と、前記畳み込み回路の出力データに対して複数の並び替え方式のうちから１つの並び替え方式を用いて並び替え処理を行い出力するインタリーブ回路と、前記インタリーブ回路の出力データに対して周波数領域へのマッピング処理を行い出力するマッピング回路と、前記マッピング回路の出力データを逆フーリエ変換処理してＯＦＤＭ信号を生成する逆フーリエ変換回路と、最大振幅超過検出信号の入力に応答して前記インタリーブ回路で用いる並び替え方式を切り替える並び替え方式切り替え回路と、前記逆フーリエ変換回路で生成したＯＦＤＭ信号の最大振幅値が所定値を超えたときに前記最大振幅超過検出信号を前記並び替え方式切り替え回路へ出力する最大振幅検出回路とを備えたＯＦＤＭ回路。
【請求項４】
前記最大振幅検出回路が前記逆フーリエ変換回路で生成したＯＦＤＭ信号の最大振幅値が所定値を超えたことを検出したときに、前記ＯＦＤＭ信号の最大振幅値が前記所定値となるように前記ＯＦＤＭ信号を変換した変換ＯＦＤＭ信号を生成出力するとともに、前記ＯＦＤＭ信号の最大振幅値と前記所定値との差分データを前記逆フーリエ変換回路に出力する振幅調整回路を設け、
前記逆フーリエ変換回路では前記振幅調整回路からの差分データと前記マッピング回路からの出力データとを逆フーリエ変換処理することを特徴とする請求項３記載のＯＦＤＭ回路。
【発明の詳細な説明】
【技術分野】
【０００１】
本発明は、ＯＦＤＭ(Orthogonal Frequency Division Multiplexing)回路に関するものである。
【背景技術】
【０００２】
図５に従来のＯＦＤＭ回路を示す。送信データはエンコード回路１内のスクランブル回路２に入力される。スクランブル回路２でスクランブルされたデータは畳み込み回路３に入力される。畳み込み回路３で畳み込み処理されたデータはインタリーブ回路４に入力される。インタリーブ回路４で並び替え処理されたデータはマッピング回路５に入力される。マッピング回路５で周波数領域データにマッピングされた送信データは逆フーリエ変換回路６に入力される。逆フーリエ変換回路６は入力された周波数領域のデータを逆フーリエ変換してＯＦＤＭ信号を生成する。
【特許文献１】特開平１１−７４８６２号公報（第4図）
【発明の開示】
【発明が解決しようとする課題】
【０００３】
ＯＦＤＭ信号は複数のキャリアデータを逆フーリエ変換して生成させる。キャリアデータが同一または近似したビット列の場合、各キャリアの最大振幅値が重なりピーク振幅を生成する確率が高くなる。ＯＦＤＭ信号の最大振幅値と平均振幅値の差が大きいとＯＦＤＭ受信機のオペアンプのダイナミックレンジを大きくとる必要があり、オペアンプの消費電力が大きくなる。よってＯＦＤＭ信号の最大振幅値と平均振幅値の差を小さくすることが課題である。
【０００４】
本発明の目的は、ＯＦＤＭ信号の最大振幅値と平均振幅値の差を小さくすることができ、ＯＦＤＭ受信機のオペアンプのダイナミックレンジを小さくとることが可能となり、オペアンプの消費電力を低減することができるＯＦＤＭ回路を提供することである。
【課題を解決するための手段】
【０００５】
この課題を解決するために、本発明では、複数のキャリアデータが同一または近似したビット列になる確率を下げるためにデータの並び替え方式を複数持つインタリーブ回路を用いる。
【０００６】
本発明の第１のＯＦＤＭ回路は、送信データに対してスクランブル処理を行い出力するスクランブル回路と、スクランブル回路の出力データに対して畳み込み処理を行い出力する畳み込み回路と、畳み込み回路の出力データに対して複数の並び替え方式のうちから１つの並び替え方式を用いて並び替え処理を行い出力するインタリーブ回路と、インタリーブ回路の出力データに対して周波数領域へのマッピング処理を行い出力するマッピング回路と、マッピング回路の出力データを逆フーリエ変換処理してＯＦＤＭ信号を生成する逆フーリエ変換回路と、インタリーブ回路で用いる並び替え方式を切り替える並び替え方式切り替え回路と、並び替え方式切り替え回路による切り替えタイミングを生成する送信コントロール回路とを備えている。
【０００７】
この第１のＯＦＤＭ回路の構成によれば、データの並び替え方式を複数持つインタリーブ回路を用い、インタリーブ回路で用いる並び替え方式を切り替えることで、ＯＦＤＭ信号の最大振幅値と平均振幅値の差を小さくなるようにすることが可能になる。
【０００８】
本発明の第２のＯＦＤＭ回路は、送信データに対してスクランブル処理を行い出力するスクランブル回路と、スクランブル回路の出力データに対して畳み込み処理を行い出力する畳み込み回路と、畳み込み回路の出力データに対して複数の並び替え方式でデータの並び替え処理を行い各々の並び替え処理によるデータを出力するインタリーブ回路と、インタリーブ回路から出力される複数の並び替え処理後のデータのうちから同一ビットパターンの少ないデータを選択し出力するインタリーブ出力選択回路と、インタリーブ出力選択回路の出力データに対して周波数領域へのマッピング処理を行うことにより周波数領域データとして出力するマッピング回路と、マッピング回路から出力される周波数領域データとインタリーブ出力選択回路で選択したデータの並び替え方式の識別情報とを入力として逆フーリエ変換処理してＯＦＤＭ信号を生成する逆フーリエ変換回路とを備えている。
【０００９】
この第２のＯＦＤＭ回路の構成によれば、データの並び替え方式を複数持つインタリーブ回路を用い、複数の並び替え処理後のデータのうちから同一ビットパターンの少ないデータを選択してマッピング回路へ入力することで、ＯＦＤＭ信号の最大振幅値と平均振幅値の差を小さくなるようにすることが可能になる。また、インタリーブ出力選択回路からの並び替え方式の識別情報をも逆フーリエ変換回路で逆フーリエ変換処理することにより、受信側では受信したデータをフーリエ変換することで、送信時にどの並び替え方式を使用したかという情報を得ることができ、その情報に基づいて逆インタリーブ処理を行い送信された基のデータに戻すことが容易になる。
【００１０】
本発明の第３のＯＦＤＭ回路は、送信データに対してスクランブル処理を行い出力するスクランブル回路と、スクランブル回路の出力データに対して畳み込み処理を行い出力する畳み込み回路と、畳み込み回路の出力データに対して複数の並び替え方式のうちから１つの並び替え方式を用いて並び替え処理を行い出力するインタリーブ回路と、インタリーブ回路の出力データに対して周波数領域へのマッピング処理を行い出力するマッピング回路と、マッピング回路の出力データを逆フーリエ変換処理してＯＦＤＭ信号を生成する逆フーリエ変換回路と、最大振幅超過検出信号の入力に応答してインタリーブ回路で用いる並び替え方式を切り替える並び替え方式切り替え回路と、逆フーリエ変換回路で生成したＯＦＤＭ信号の最大振幅値が所定値を超えたときに最大振幅超過検出信号を並び替え方式切り替え回路へ出力する最大振幅検出回路とを備えている。
【００１１】
この第３のＯＦＤＭ回路の構成によれば、データの並び替え方式を複数持つインタリーブ回路を用い、ＯＦＤＭ信号の最大振幅値が所定値を超えたときにインタリーブ回路で用いる並び替え方式を切り替えることで、ＯＦＤＭ信号の最大振幅値と平均振幅値の差を小さくなるようにすることが可能になる。
【００１２】
本発明の第４のＯＦＤＭ回路は、第３のＯＦＤＭ回路において、最大振幅検出回路が逆フーリエ変換回路で生成したＯＦＤＭ信号の最大振幅値が所定値を超えたことを検出したときに、ＯＦＤＭ信号の最大振幅値が所定値となるようにＯＦＤＭ信号を変換した変換ＯＦＤＭ信号を生成出力するとともに、ＯＦＤＭ信号の最大振幅値と所定値との差分データを逆フーリエ変換回路に出力する振幅調整回路を設け、逆フーリエ変換回路では振幅調整回路からの差分データとマッピング回路からの出力データとを逆フーリエ変換処理することを特徴とする。
【００１３】
この第４のＯＦＤＭ回路の構成によれば、第３の構成と同様の効果に加え、ＯＦＤＭ信号の最大振幅値が所定値を超えたときに、振幅調整回路によりそのＯＦＤＭ信号の最大振幅値を小さくしてＯＦＤＭ信号を出力できる（変換ＯＦＤＭ信号）。また、振幅調整回路からの差分データをも逆フーリエ変換回路で逆フーリエ変換処理することにより、受信側では受信データのフーリエ変換を行い、差分データに基づいて、所定値を超えた最大値をもつＯＦＤＭ信号を復元できる。
【発明の効果】
【００１４】
本発明によれば、データの並び替え方式を複数持つインタリーブ回路を用い、複数の並び替え方式の中から選択された並び替え方式によって処理されたデータをマッピング回路に入力することができるため、送信するＯＦＤＭ信号の最大振幅値と平均振幅値の差を小さくなるようにすることが可能になる。その結果、受信機のオペアンプのダイナミックレンジを小さくとることが可能となり、オペアンプの消費電力を減らすことができる。したがって受信機全体の消費電力を軽減する効果がある。
【発明を実施するための最良の形態】
【００１５】
（実施形態１）
本発明の実施形態１について、図１を参照しながら説明する。図１は実施形態１のＯＦＤＭ回路の構成を示すブロック図であり、１０１はシリアル−パラレル変換回路、１０２はスクランブル回路、１０３は畳み込み回路、１０４はインタリーブ１〜Ｎの複数の並び替え方式をもつインタリーブ回路、１０５はマッピング回路、１０６はインタリーブ方式選択回路、１０７は送信コントロール回路、１０８は逆フーリエ変換回路である。
【００１６】
実施形態１のＯＦＤＭ回路の動作について、図１を用いて説明する。
【００１７】
送信データはスクランブル回路１０２に入力される。スクランブル回路１０２でスクランブルされたデータは畳み込み回路１０３に入力される。畳み込み回路１０３で畳み込み処理されたデータはインタリーブ回路１０４に入力される。インタリーブ回路１０４において、インタリーブ方式選択回路１０６によって選択されたインタリーブ方式（並び替え方式）で並び替え処理されたデータはマッピング回路１０５に入力される。マッピング回路１０５で周波数領域データにマッピングされた送信データは逆フーリエ変換回路１０８に入力される。逆フーリエ変換回路１０８は入力された周波数領域データを逆フーリエ変換してＯＦＤＭ信号を生成する。
【００１８】
この構成の場合、インタリーブ方式選択回路１０６は送信コントロール回路１０７から与えられるシンボル同期タイミングでインタリーブ回路１０４で用いられるインタリーブ方式（並び替え方式）を切り替える。詳しく説明すると、送信コントロール回路１０７は、送信予定の送信データを送信完了した後、次の送信データが入力されるまでの間に、切り替え信号をインタリーブ方式選択回路１０６へ送る。インタリーブ方式選択回路１０６はインタリーブ回路１０４内のインタリーブ１〜Ｎのうち１つのインタリーブのみが有効となるように、それ以外の無効なインタリーブの出力信号をマスクするマスク信号をインタリーブ回路１０４へ送り、インタリーブ方式選択回路１０６から切り替え信号を入力するたびに、インタリーブ回路１０４内の有効となるインタリーブが予め決められた順番に切り替わるようにマスク信号を出力する。インタリーブ回路１０４では、有効なインタリーブとして最初は１つのインタリーブ、例えばインタリーブ１が選択されており、送信コントロール回路１０７から切り替え信号がインタリーブ方式選択回路１０６へ入力されるたびに、インタリーブ方式選択回路１０６のマスク信号が切り替わり、例えばインタリーブ１からインタリーブＮの順番に有効となるように制御される。
【００１９】
この実施形態１によれば、データの並び替え方式を複数持つインタリーブ回路１０４を用い、インタリーブ回路１０４で用いる並び替え方式を切り替えることで、ＯＦＤＭ信号の最大振幅値と平均振幅値の差を小さくなるようにすることが可能になる。すなわち、送信コントロール回路１０７により並び替え方式を切り替えてＯＦＤＭ信号の最大振幅値と平均振幅値の差が小さくなる並び替え方式を選択することができる。その結果、受信機のオペアンプのダイナミックレンジを小さくとることが可能となり、オペアンプの消費電力を減らすことができる。したがって受信機全体の消費電力を軽減する効果がある。
【００２０】
（実施形態２）
本発明の実施形態２について、図２を参照しながら説明する。図２は実施形態２のＯＦＤＭ回路の構成を示すブロック図であり、２０１はシリアル−パラレル変換回路、２０２はスクランブル回路、２０３は畳み込み回路、２０４はインタリーブ１〜Ｎの複数の並び替え方式をもつインタリーブ回路、２０５はインタリーブ出力選択回路、２０６はマッピング回路、２０７は逆フーリエ変換回路である。
【００２１】
本発明の実施形態２のＯＦＤＭ回路動作について、図２を用いて説明する。
【００２２】
送信データはスクランブル回路２０２に入力される。スクランブル回路２０２でスクランブルされたデータは畳み込み回路２０３に入力される。畳み込み回路２０３で畳み込み処理されたデータはインタリーブ回路２０４に入力される。インタリーブ回路２０４で複数の並び替え方式で並び替え処理されたデータはそれぞれインタリーブ出力選択回路２０５に入力される。インタリーブ出力選択回路２０５では入力されたインタリーブ出力の中から同一のビット列の数が少ないものを選択し、マッピング回路２０６へ出力される。ここでインタリーブ出力選択回路２０５は、各インタリーブ毎に、出力されるビット列でもっとも多く出力されたビット列のカウント値を記憶し、その記憶した値をすべて比較して最小のインタリーブの出力を選択してマッピング回路２０６へ出力するようにしている。マッピング回路２０６で周波数領域データにマッピングされた送信データは逆フーリエ変換回路２０７に入力される。また、インタリーブ出力選択回路２０５から、どの並び替え方式によるデータを使用したかという識別情報も逆フーリエ変換回路２０７に入力される。逆フーリエ変換回路２０７は、マッピング回路２０６からの入力データ用に使用するキャリアとは別の空きキャリアにインタリーブ出力選択回路２０５からの識別情報を入力して逆フーリエ変換処理を行い、ＯＦＤＭ信号を生成する。
【００２３】
この実施形態２によれば、データの並び替え方式を複数持つインタリーブ回路２０４を用い、複数の並び替え処理後のデータのうちから同一のビット列の数が少ないデータを選択してマッピング回路２０６へ入力することで、ＯＦＤＭ信号の最大振幅値と平均振幅値の差を小さくなるようにすることが可能になる。その結果、受信機のオペアンプのダイナミックレンジを小さくとることが可能となり、オペアンプの消費電力を減らすことができる。したがって受信機全体の消費電力を軽減する効果がある。また、インタリーブ出力選択回路２０５からの識別情報をも逆フーリエ変換回路２０７で逆フーリエ変換してＯＦＤＭ信号を生成することにより、受信側では受信したデータをフーリエ変換することで、送信時にどのインタリーブを使用したかという情報を得ることができ、その情報に基づいて逆インタリーブ処理を行い送信された基のデータに戻すことができる。
【００２４】
（実施形態３）
本発明の実施形態３について、図３を参照しながら説明する。図３は実施形態３のＯＦＤＭ回路の構成を示すブロック図であり、３０１はシリアル−パラレル変換回路、３０２はスクランブル回路、３０３は畳み込み回路、３０４はインタリーブ１〜Ｎの複数の並び替え方式をもつインタリーブ回路、３０５はマッピング回路、３０６は逆フーリエ変換回路、３０７は最大振幅検出器、３０８はインタリーブ方式選択回路である。
【００２５】
本発明の実施形態３のＯＦＤＭ回路動作について、図３を用いて説明する。
【００２６】
送信データはスクランブル回路３０２に入力される。スクランブル回路３０２でスクランブルされたデータは畳み込み回路３０３に入力される。畳み込み回路３０３で畳み込み処理されたデータはインタリーブ回路３０４に入力される。インタリーブ回路３０４では複数あるインタリーブ方式の中からインタリーブ方式選択回路３０８によって選択された方式によりインタリーブ処理を行い、マッピング回路３０５に入力される。マッピング回路３０５でマッピング処理されたデータは、逆フーリエ変換回路３０６に入力される。逆フーリエ変換回路３０６で逆フーリエ変換処理され生成されたＯＦＤＭ信号は最大振幅検出器３０７に入力される。最大振幅検出器３０７において入力されたＯＦＤＭ信号の最大振幅値が設定された閾値より大きい場合、インタリーブ方式変更信号がインタリーブ方式選択回路３０８に入力される。インタリーブ方式選択回路３０８では、入力されたインタリーブ方式変更信号に従ってインタリーブ回路３０４のインタリーブ方式を選択されていない方式に変更する。このインタリーブ方式選択回路３０８とインタリーブ回路３０４は、実施形態１のインタリーブ方式選択回路１０６とインタリーブ回路１０４と同様のものであり、ここでは、最大振幅検出器３０７からインタリーブ方式変更信号がインタリーブ方式選択回路３０８に入力されるたびに、インタリーブ方式選択回路３０８のマスク信号が切り替わり、例えばインタリーブ１からインタリーブＮの順番に有効となるように制御される。
【００２７】
この実施形態３によれば、データの並び替え方式を複数持つインタリーブ回路３０４を用い、ＯＦＤＭ信号の最大振幅値が閾値を超えたときにインタリーブ回路３０４で用いる並び替え方式を切り替えることで、ＯＦＤＭ信号の最大振幅値と平均振幅値の差を小さくなるようにすることが可能になる。その結果、受信機のオペアンプのダイナミックレンジを小さくとることが可能となり、オペアンプの消費電力を減らすことができる。したがって受信機全体の消費電力を軽減する効果がある。
【００２８】
（実施形態４）
本発明の実施形態４について、図４を参照しながら説明する。図４は実施形態４のＯＦＤＭ回路の構成を示すブロック図であり、４０１はシリアル−パラレル変換回路、４０２はスクランブル回路、４０３は畳み込み回路、４０４はインタリーブ１〜Ｎの複数の並び替え方式をもつインタリーブ回路、４０５はマッピング回路、４０６は逆フーリエ変換回路、４０７は最大振幅検出器、４０８はインタリーブ方式選択回路、４０９は振幅調整回路である。
【００２９】
本発明の実施形態４のＯＦＤＭ回路動作について、図４を用いて説明する。
【００３０】
送信データはスクランブル回路４０２に入力される。スクランブル回路４０２でスクランブルされたデータは畳み込み回路４０３に入力される。畳み込み回路４０３で畳み込み処理されたデータはインタリーブ回路４０４に入力される。インタリーブ回路４０４では複数あるインタリーブ方式の中からインタリーブ方式選択回路４０８によって選択された方式によりインタリーブ処理を行い、マッピング回路４０５に入力される。マッピング回路４０５でマッピング処理されたデータは、逆フーリエ変換回路４０６に入力される。逆フーリエ変換回路４０６で逆フーリエ変換処理され生成されたＯＦＤＭ信号は最大振幅検出器４０７に入力される。最大振幅検出器４０７において入力されたＯＦＤＭ信号の最大振幅値が設定された閾値より大きい場合、インタリーブ方式変更信号がインタリーブ方式選択回路４０８に入力される。インタリーブ方式選択回路４０８では入力されたインタリーブ方式変更信号に従ってインタリーブ回路４０４のインタリーブ方式を選択されていない方式に変更する。このインタリーブ方式選択回路４０８とインタリーブ回路４０４は、実施形態３と同じく実施形態１のインタリーブ方式選択回路１０６とインタリーブ回路１０４と同様のものである。
【００３１】
最大振幅検出器４０７からの出力は、振幅調整回路４０９に入力される。振幅調整回路４０９ではＯＦＤＭ信号の最大振幅値が設定された閾値よりも大きい場合、その最大振幅値を閾値に置き換える。その最大振幅値と閾値の差分データを逆フーリエ変換回路４０６に入力する。逆フーリエ変換回路４０６は、マッピング回路４０５からの入力データ用に使用するキャリアとは異なるキャリアに振幅調整回路４０９からの情報（差分データ）を入力して逆フーリエ変換処理を行う。
【００３２】
この実施形態４によれば、実施形態３と同様の効果に加え、振幅調整回路４０９を設けたことにより、ＯＦＤＭ信号の最大振幅値が閾値を超えたときに、振幅調整回路４０９でそのＯＦＤＭ信号の最大振幅値が閾値となるように変換したＯＦＤＭ信号を生成して出力できる。また、振幅調整回路４０９からの情報（差分データ）をも逆フーリエ変換回路４０６で逆フーリエ変換してＯＦＤＭ信号を生成することにより、受信側では受信データのフーリエ変換を行い、差分情報に基づいて、閾値を越えた最大値をもつＯＦＤＭ信号を復元できる。
【産業上の利用可能性】
【００３３】
本発明にかかるＯＦＤＭ回路は、無線機等に有用である。
【図面の簡単な説明】
【００３４】
【図１】本発明の実施形態１のＯＦＤＭ回路のブロック図
【図２】本発明の実施形態２のＯＦＤＭ回路のブロック図
【図３】本発明の実施形態３のＯＦＤＭ回路のブロック図
【図４】本発明の実施形態４のＯＦＤＭ回路のブロック図
【図５】従来のＯＦＤＭ回路のブロック図
【符号の説明】
【００３５】
１０１  エンコード回路
１０２  スクランブル回路
１０３  畳み込み回路
１０４  インタリーブ回路
１０５  マッピング回路
１０６  インタリーブ方式選択回路
１０７  送信コントロール回路
１０８  逆フーリエ変換回路
２０１  エンコード回路
２０２  スクランブル回路
２０３  畳み込み回路
２０４  インタリーブ回路
２０５  インタリーブ出力選択回路
２０６  マッピング回路
２０７  逆フーリエ変換回路
３０１  エンコード回路
３０２  スクランブル回路
３０３  畳み込み回路
３０４  インタリーブ回路
３０５  マッピング回路
３０６  逆フーリエ変換回路
３０７  最大振幅検出器
３０８  インタリーブ方式選択回路
４０１  エンコード回路
４０２  スクランブル回路
４０３  畳み込み回路
４０４  インタリーブ回路
４０５  マッピング回路
４０６  逆フーリエ変換回路
４０７  最大振幅検出器
４０８  インタリーブ方式選択回路
４０９  振幅調整回路
【図１】
2005210605.tif 000003
【図２】
2005210605.tif 000004
【図３】
2005210605.tif 000005
【図４】
2005210605.tif 000006
【図５】
2005210605.tif 000007